(57)【要約】【課題】ミキサー装置等のミキシングコンソールにおいて、操作子を容易に認識できるようにして操作性を高める。【解決手段】パネル面上の同軸のボリューム操作子１−１〜１−１２　、単軸のボリューム操作子２−１〜２−８をそれぞれ、４つずつのサブグループＡ１−１〜Ａ１−３、サブグループＡ２−１，Ａ２−２に区分する。第１のサブグループＡ１−１のボリューム操作子１−１〜１−４を橙色にする。第２のサブグループＡ１−２のボリューム操作子１−５〜１−８を水色にする。第３のサブグループＡ１−３のボリューム操作子１−９〜１−１２　を紫色にする。サブグループＡ２−１，Ａ２−２も同様に色分けする。フェーダ操作子も同様にサブグループ分けしてサブグループ毎に色分けする。【選択図】　　　図１
2004127807.tif 000002
【特許請求の範囲】
【請求項１】
複数の電気信号を入力し、多数の各種操作子にて該電気信号を加工して出力するミキシングコンソールにおいて、
類似機能を設定する複数の操作子を含むグループ操作部と該操作子に連動し前記電気信号を制御する電子部品とを備え、
前記グループ操作部の操作子が複数個ずつのサブグループ毎に色等のマーキングにて分別されてなることを特徴とするミキシングコンソール。
【請求項２】
複数の電気信号を入力し、多数の各種操作子にて該電気信号を加工して出力するミキシングコンソールにおいて、
類似機能を設定する複数の操作子を含む複数のグループ操作部と該操作子に連動し前記電気信号を制御する電子部品とを備え、
前記複数のグループ操作部の各々の操作子が複数個ずつのサブグループ毎に色等のマーキングにて分別されてなり、
前記複数のグループ操作部の先頭のサブグループの前記マーキングを同一にしたことを特徴とするミキシングコンソール。
【請求項３】
複数の電気信号を入力し、多数の各種操作子にて該電気信号を加工して出力するミキシングコンソールにおいて、
類似機能を設定する複数の操作子を含む複数のグループ操作部と該操作子に連動し前記電気信号を制御する電子部品とを備え、
前記複数のグループ操作部の各々の操作子が複数個ずつのサブグループ毎に色等のマーキングにて分別されてなり、
前記複数のグループ操作部の各々のサブグループの順番に対応してマーキングの種類の順番を同じにしたことを特徴とするミキシングコンソール。
【請求項４】
複数の電気信号を入力し、多数の各種操作子にて該電気信号を加工して出力するミキシングコンソールにおいて、
前記入力した電気信号を加工する複数の操作子を含む第１グループ操作部と、該加工された電気信号を通すバスシステムと、該バスシステムの出力ライン上で電気信号を制御する複数の操作子を含む第２グループ操作部と、
を備え、
前記第１及び第２グループ操作部の各々の操作子が複数個ずつのサブグループ毎に色等のマーキングにて分別されてなり、
前記第１グループ操作部と第２グループ操作部とのそれぞれ対応するサブグループ同士のマーキングを同一にしたことを特徴とするミキシングコンソール。
【発明の詳細な説明】
【０００１】
【発明の属する技術分野】
本発明は、複数の音声信号を複数系統のバスシステムを介して複数の信号として出力するミキシングコンソールに関する。
【０００２】
【従来の技術】
従来、ミキシングコンソールは放送局、レコーディングスタジオ、コンサート会場等で使用され、各種の楽器やボーカル等の音声信号をプレイヤー用のモニタやミキサ用のモニタ等として出力するために、多くの信号に対して各種の制御（信号処理）を行う必要がある。このため、操作パネルには各種の多数の操作子が配設されており、操作パネルの操作性を向上させて、操作者の負担を軽減することが要求される。
【０００３】
例えば、特開平９−１９８９５３号公報には複数のフェーダ摘みに対して、赤、緑、黄色などの如く色を異ならせ、色を識別することでフェーダ摘みの位置などがわかるようにした技術が開示されている。
【０００４】
【特許文献１】
特開平５−２５１９５０号公報
【０００５】
【発明が解決しようとする課題】
前記従来の技術では、色の違いで個々のフェーダ摘みを際だたせることはできるものの、それ以上の作用効果が期待できるだけの構成は開示されていない。
【０００６】
本発明は、ミキシングコンソールの多数の操作子の順番や配置を容易に確認できたり、関連する操作子同士を容易に確認できるなど、ミキシングコンソールの操作性をさらによくすることを課題とする。
【０００７】
【課題を解決するための手段】
本発明の請求項１のミキシングコンソールは、複数の電気信号を入力し、多数の各種操作子にて該電気信号を加工して出力するミキシングコンソールにおいて、類似機能を設定する複数の操作子を含むグループ操作部と該操作子に連動し前記電気信号を制御する電子部品とを備え、前記グループ操作部の操作子が複数個ずつのサブグループ毎に色等のマーキングにて分別されてなることを特徴とする。
【０００８】
請求項１のミキシングコンソールによれば、各グループ操作部の各サブグループ毎にマーキングがなされているので、操作子の配置を各サブグループ単位で認識することができ、各操作子を見つけるのがきわめて容易になる。
【０００９】
本発明の請求項２のミキシングコンソールは、複数の電気信号を入力し、多数の各種操作子にて該電気信号を加工して出力するミキシングコンソールにおいて、類似機能を設定する複数の操作子を含む複数のグループ操作部と該操作子に連動し前記電気信号を制御する電子部品とを備え、前記複数のグループ操作部の各々の操作子が複数個ずつのサブグループ毎に色等のマーキングにて分別されてなり、前記複数のグループ操作部の先頭のサブグループの前記マーキングを同一にしたことを特徴とする。
【００１０】
請求項２のミキシングコンソールによれば、請求項１と同様な作用効果が得られるとともに、複数のグループ操作部において、先頭のサブグループのマーキングが同一になっているので、各グループ操作部を区別し易くそのグループ操作部に含まれる操作子の先頭を容易に確認できる。
【００１１】
本発明の請求項３のミキシングコンソールは、複数の電気信号を入力し、多数の各種操作子にて該電気信号を加工して出力するミキシングコンソールにおいて、類似機能を設定する複数の操作子を含む複数のグループ操作部と該操作子に連動し前記電気信号を制御する電子部品とを備え、前記複数のグループ操作部の各々の操作子が複数個ずつのサブグループ毎に色等のマーキングにて分別されてなり、前記複数のグループ操作部の各々のサブグループの順番に対応してマーキングの種類の順番を同じにしたことを特徴とする。
【００１２】
請求項３のミキシングコンソールによれば、請求項１と同様な作用効果が得られるとともに、各グループ操作部の各サブグループは同じマーキングの順番となっているので、サブグループの順番を覚えやすく、ひいては操作性がよくなる。
【００１３】
本発明の請求項４のミキシングコンソールは、複数の電気信号を入力し、多数の各種操作子にて該電気信号を加工して出力するミキシングコンソールにおいて、前記入力した電気信号を加工する複数の操作子を含む第１グループ操作部と、該加工された電気信号を通すバスシステムと、該バスシステムの出力ライン上で電気信号を制御する複数の操作子を含む第２グループ操作部と、を備え、前記第１及び第２グループ操作部の各々の操作子が複数個ずつのサブグループ毎に色等のマーキングにて分別されてなり、前記第１グループ操作部と第２グループ操作部とのそれぞれ対応するサブグループ同士のマーキングを同一にしたことを特徴とする。
【００１４】
請求項４のミキシングコンソールによれば、請求項１と同様な作用効果が得られるとともに、バスシステムを介して共通な電気信号に処理をする第１グループ操作部と第２グループ操作部との対応関係が、マーキングが同一ということにより確認できるので、操作性がよくなる。
【００１５】
【発明の実施の形態】
以下、図面を参照して本発明の実施形態について説明する。図５は実施形態のミキシングコンソールの一部回路図であり、多数の入力チャンネルの内の１チャンネル分だけ示してある。モノラル入力チャンネル１０はステレオ入力チャンネル６０よりも多くのチャンネルを備えているので、操作子の数も膨大となる。そこで、後述操作子について説明するように、この実施形態ではモノラル入力チャンネル１０における操作子に本発明を適用して例について説明する。
【００１６】
モノラル入力チャンネル１０は１チャンネル分のモノラル音声信号を入力し、ゲイン制御ボリューム１０ａ、イコライザ回路１０ｂ、チャンネルオンスイッチ１０ｃを介して第１コモン信号線１０ｄに入力される。また、フェーダ１０ｅを介して第２コモン信号線１０ｆに入力される。そして、この第１コモン信号線１０ｄ及び第２コモン信号線１０ｆの信号は、ＡＵＸステレオセンドレベル制御回路５、ステレオセンドレベル制御回路６、ＧＲＯＵＰ／ＡＵＸセンドレベル制御回路７に供給される。
【００１７】
ＡＵＸステレオセンドレベル制御回路５において、プリスイッチ５ａはフェーダ１０ｅを介した信号を入力するかフェーダ１０ｅを介さない信号を入力するかを切り替える。レベルボリューム５ｂとパンボリューム５ｃは、後述説明する同軸（複軸）のボリュームであり、それぞれレベルとパンニングを調整する。レベルボリューム５ｂでレベル調整された信号は、パンボリューム５ｃでパンニングが調整され、このパンニングが調整されたＬ，Ｒ信号はＡＵＸオンスイッチ５ｄ，５ｄを介してバスシステム２０に出力される。なお、図では点々の省略記号で示してあるが、このＡＵＸステレオセンドレベル制御回路５は、１チャンネル分のモノラル入力チャンネル１０において１２チャンネル分（１２セット）が並列に設けられている。
【００１８】
ステレオセンドレベル制御回路６は、フェーダ１０ｅを介した信号をパンボリューム６ａでパンニングを調整し、パンニング調整されたＬ，Ｒ信号をステレオオンスイッチ６ｂ，６ｂを介してそれぞれバスシステム２０に出力する。
【００１９】
ＧＲＯＵＰ／ＡＵＸセンドレベル制御回路７は、ステレオセンドレベル制御回路６のＬ，Ｒ信号に対応して２系統の回路を有し、各系統において、プリスイッチ７ａ，７ａはフェーダ１０ｅを介した信号を入力するかフェーダ１０ｅを介さない信号を入力するかを切り替える。レベルボリューム７ｂ，７ｂは、後述説明する単軸のボリュームであり、プリスイッチ７ａ，７ａで選択した信号のレベルを調整する。このレベルが調整された信号はモードスイッチ７ｃ，７ｃに入力される。また、第２コモン信号線１０ｆの信号がモードスイッチ７ｃ，７ｃに入力される。さらに、ステレオセンドレベル制御回路６のパンニング調整されたＬ，Ｒ信号がモードスイッチ７ｃ，７ｃに入力される。
【００２０】
モードスイッチ７ｃ，７ｃはパネル面に操作子を持たないスイッチであり、モードの選択により切替られる。そして、ステレオセンドレベル制御回路６のＬ，Ｒ信号、第２コモン信号線１０ｆの信号、レベルボリューム７ｂ，７ｂでレベルが調整された信号が択一的に選択される。この選択された信号（仮にＬ，Ｒ信号とする。）は、Ｇ／Ａオンスイッチ７ｄ，７ｄを介してバスシステム２０に出力される。なお、図では点々の省略記号で示してあるが、このＧＲＯＵＰ／ＡＵＸセンドレベル制御回路７は、１チャンネル分のモノラル入力チャンネル１０において４チャンネル分（４セット）が並列に設けられている。
【００２１】
パスシステム２０は、ＡＵＸステレオセンドレベル制御回路５の１２セット分の２４本の出力線に対応する２４本のＡＵＸステレオバスライン（ＡＵＸ　ＳＴ）２０ａと、ステレオセンドレベル制御回路６の２本の出力線に対応する２本のステレオバスライン（ＳＴ）２０ｂと、ＧＲＯＵＰ／ＡＵＸセンドレベル制御回路７の４セット分の８本の出力線に対応する８本のグループＡＵＸバスライン（Ｇ／Ａ）２０ｃとで構成されている。
【００２２】
ＡＵＸステレオバスライン２０ａにはＡＵＸステレオ出力レベル制御回路（ＡＵＸ　ＳＴＥＲＥＯ）３０が接続されている。このＡＵＸステレオ出力レベル制御回路３０は、ＡＵＸステレオセンドレベル制御回路５のＬ，Ｒ信号の１２セットに対応して１２セット設けられており、ＡＵＸステレオバスライン２０ａの信号をミキサ３０ａ，３０ａ、フェーダ３０ｂ，３０ｂ、ＡＵＸ出力オンスイッチ（ＡＵＸ−ＯＮ）３０ｃ，３０ｃを介して外部に出力する。なお、１セット分のフェーダ３０ｂ，３０ｂは後述の同一のフェーダ操作子によって調整される。
【００２３】
ステレオバスライン（ＳＴ）２０ｂにはステレオ出力レベル制御回路（ＳＴＥＲＥＯ）４０が接続されている。このステレオ出力レベル制御回路４０は、ステレオセンドレベル制御回路６のＬ，Ｒ信号に対応して設けられており、ステレオバスライン２０ｂの信号をミキサ４０ａ，４０ａ、フェーダ４０ｂ，４０ｂ、ステレオ出力オンスイッチ（ＳＴＯ−ＯＮ）４０ｃ，４０ｃを介して外部に出力する。
【００２４】
グループＡＵＸバスライン２０ｃにはグループ／ＡＵＸ出力レベル制御回路（ＧＲＯＵＰ／ＡＵＸ）５０が接続されている。このグループ／ＡＵＸ出力レベル制御回路５０は、ＧＲＯＵＰ／ＡＵＸセンドレベル制御回路７のＬ，Ｒ信号の４セット分の８本の信号線に対応して８セット設けられており、グループＡＵＸバスライン２０ｃの信号をミキサ５０ａ、フェーダ５０ｂ、グループ／ＡＵＸ出力オンスイッチ（Ｇ／ＡＯ−ＯＮ）５０ｃを介して外部に出力する。また、フェーダ５０ｂの出力信号はパンボリューム５０ｄ及びステレオ出力スイッチ（ＴＯ−ＳＴ）５０ｅ，５０ｅを介してステレオバスライン（ＳＴ）２０ｂに出力される。すなわち、このグループ／ＡＵＸ出力レベル制御回路５０では、グループＡＵＸバスライン２０ｃの出力を、パンニングを調整したＬ，Ｒ信号としてステレオバスライン２０ｂに出力することができる。これにより、グループＡＵＸバスライン２０ｃの各種の信号をミキシングしてステレオ出力レベル制御回路４０から外部に出力することができる。
【００２５】
なお、ステレオ入力チャンネル６０は、１チャンネル分のステレオ音声信号Ｌ，Ｒを入力し、ＡＵＸステレオバスライン２０ａ、ステレオバスライン２０ｂ、グループＡＵＸバスライン２０ｃに対応するように、ステレオ音声信号Ｌ，Ｒのレベル調整やバランス調整等を行い、調整された信号Ｌ，Ｒを各バスライン２０ａ，２０ｂ，２０ｃに出力する。なお、グループＡＵＸバスライン２０ｃに対しては、Ｌ，Ｒ信号を混合（ミックス）した信号（Ｌ＋Ｒ）を選択的に出力することもできる。
【００２６】
以上の構成により、例えば一つのモノラル入力チャンネル１０に入力される音声信号に様々な加工を施して複数系統で外部に出力することができる。例えば、ＡＵＸステレオセンドレベル制御回路５でレベル及びパンニングを調整し、ＡＵＸステレオバスライン２０ａとＡＵＸステレオ出力レベル制御回路３０を介して１２系統で外部に出力することができる。また、ステレオセンドレベル制御回路６でパンニングを調整し、ステレオバスライン２０ｂとステレオ出力レベル制御回路４０を介して１系統で外部に出力することができる。さらに、ＧＲＯＵＰ／ＡＵＸセンドレベル制御回路７で、レベル調整し、グループＡＵＸバスライン２０ｃとグループ／ＡＵＸ出力レベル制御回路５０を介して８系統で外部に出力することができる。
【００２７】
このことは、回路図では図示を省略したが、他の多数のモノラル入力チャンネルに入力される各音声信号についても、同様にＡＵＸステレオ出力レベル制御回路３０の１２系統、ステレオ出力レベル制御回路４０の１系統、グループ／ＡＵＸ出力レベル制御回路５０の８系統により出力することができる。すなわち、各種入力される複数の音声信号を混合（ミックス）し、複数系統で出力できる。
【００２８】
これにより、例えば、ドラムセットの複数の音声信号、他の楽器の音声信号、例えば複数のボーカルの音声信号などを入力し、これらの音声信号のレベル調整やパンニングを調整などの加工を施した信号を混合し、各プレーヤ（演奏者）のモニタ用の信号として出力するなど、様々なミキシングの機能が得られる。
【００２９】
ここで、ＡＵＸステレオバスライン２０ａに出力する信号のレベル（センドレベル）は１２セットのＡＵＸステレオセンドレベル制御回路５で調整され、このＡＵＸステレオバスライン２０ａから取り出される信号のレベルは、１２セットのＡＵＸステレオセンドレベル制御回路５にそれぞれ対応する１２セットのＡＵＸステレオ出力レベル制御回路３０で調整される。また、グループＡＵＸバスライン２０ｃに出力する信号のレベル（センドレベル）は４セット（８系統分）のＧＲＯＵＰ／ＡＵＸセンドレベル制御回路７で調整され、このグループＡＵＸバスライン２０ｃから取り出される信号のレベルは８系統のＧＲＯＵＰ／ＡＵＸセンドレベル制御回路７にそれぞれ対応する８セットのグループ／ＡＵＸ出力レベル制御回路５０で調整される。
【００３０】
すなわち、後述説明するように、ＡＵＸステレオセンドレベル制御回路５におけるレベルボリューム５ｂとパンボリューム５ｃの後述説明する一組（同軸）のボリューム操作子（１２個）は、ＡＵＸステレオ出力レベル制御回路３０におけるフェーダ３０ｂ，３０ｂの同一のフェーダ操作子（１２個）に対応している。また、ＧＲＯＵＰ／ＡＵＸセンドレベル制御回路７におけるレベルボリューム７ｂのボリューム操作子（８個）は、グループ／ＡＵＸ出力レベル制御回路５０におけるフェーダ５０ｂのフェーダ操作子（８個）に対応している。
【００３１】
図３は実施形態のミキシングコンソールのパネル面の一部を示す図である。パネル面には、ＡＵＸステレオセンドレベル制御回路５におけるレベルボリューム５ｂ及びパンボリューム５ｃのボリューム操作子１と、ＧＲＯＵＰ／ＡＵＸセンドレベル制御回路７におけるレベルボリューム７ｂのボリューム操作子２とからなるボリューム操作子群Ａが配設されている。また、ＡＵＸステレオ出力レベル制御回路３０におけるフェーダ３０ｂ，３０ｂのフェーダ操作子３と、グループ／ＡＵＸ出力レベル制御回路５０におけるフェーダ５０ｂのフェーダ操作子４とからなるフェーダ操作子群Ｂが配設されている。なお、図示は省略してあるが、ボリューム操作子群Ａの上（奥側）には、ゲイン制御ボリューム１０ａの操作子、イコライザ回路１０ｂの操作子が配設され、ボリューム操作子群Ａの下（手前側）には、チャンネルオンスイッチ１０ｃの操作子、フェーダ１０ｅのフェーダ操作子が配設されている。
【００３２】
図１はボリューム操作子群Ａを示す平面図であり、１チャンネル分を示している。ボリューム操作子群Ａは、２つのグループ操作部Ａ１，Ａ２にグループ分けされている。グループ操作部Ａ１は、ＡＵＸステレオセンドレベル制御回路５（１２セット）におけるレベルボリューム５ｂとパンボリューム５ｃの操作子としての１２個のボリューム操作子１−１〜１−１２　から構成されている。また、グループ操作部Ａ２は、ＧＲＯＵＰ／ＡＵＸセンドレベル制御回路７におけるレベルボリューム７ｂの操作子としての８個のボリューム操作子２−１〜２−８から構成されている。
【００３３】
グループ操作部Ａ１のボリューム操作子１−１〜１−１２　は同軸（複軸）のダイヤル式の操作子であり、グループ操作部Ａ２のボリューム操作子２−１〜２−８は単軸のダイヤル式の操作子である。図４はボリューム操作子の斜視図であり、一例としてボリューム操作子１−９〜１−１２　とボリューム操作子２−１，２−２の部分を示している。ボリューム操作子１−１〜１−１２　は高さの高い内側のレベルボリューム摘み１ａと高さの低い外側のパンボリューム摘み１ｂとを同軸にしたものであり、レベルボリューム摘み１ａを回すことで前記レベルボリューム５ｂが調整され、パンボリューム摘み１ｂを回すことで前記パンボリューム５ｃが調整される。また、ボリューム操作子２−１〜２−８を回すことで前記レベルボリューム７ｂが調整される。
【００３４】
図１のグループ操作部Ａ１において、ボリューム操作子１−１〜１−４、ボリューム操作子１−５〜１−８、ボリューム操作子１−９〜１−１２　はそれぞれ４つの操作子からなる３つのサブグループＡ１−１〜Ａ１−３を構成している。そして、サブグループＡ１−１のボリューム操作子１−１〜１−４は橙色に着色され、サブグループＡ１−２のボリューム操作子１−５〜１−８は水色に着色され、サブグループＡ１−３のボリューム操作子１−９〜１−１２　は紫色に着色されている。
【００３５】
また、グループ操作部Ａ２において、ボリューム操作子２−１〜２−４、ボリューム操作子２−５〜２−８はそれぞれ４つの操作子からなる２つのサブグループＡ２−１，Ａ２−２を構成している。そして、サブグループＡ２−１のボリューム操作子２−１〜２−４は橙色に着色され、サブグループＡ２−２のボリューム操作子２−５〜２−８は水色に着色されている。なお、上記の各着色は例えば合成樹脂製の操作子（摘み）の形成時に着色料を混入してなされたものである。
【００３６】
図２はフェーダ操作子群Ｂを示す平面図であり、フェーダ操作子群Ｂは、２つのグループ操作部Ｂ１，Ｂ２にグループ分けされている。グループ操作部Ｂ１は、１２セットのＡＵＸステレオ出力レベル制御回路３０におけるフェーダ３０ｂ，３０ｂに対応する１２個のフェーダ操作子３−１〜３−１２　から構成されている。グループ操作部Ｂ２は、８セットのグループ／ＡＵＸ出力レベル制御回路５０におけるフェーダ５０ｂに対応する８個のフェーダ操作子４−１〜４−８から構成されている。
【００３７】
グループ操作部Ｂ１において、フェーダ操作子３−１〜３−４、フェーダ操作子３−５〜３−８、フェーダ操作子３−９〜３−１２　はそれぞれ４つの操作子からなる３つのサブグループＢ１−１〜Ｂ１−３を構成している。そして、サブグループＢ１−１のフェーダ操作子３−１〜３−４は橙色に着色され、サブグループＢ１−２のフェーダ操作子３−５〜３−８は水色に着色され、サブグループＢ１−３のフェーダ操作子３−９〜３−１２　は紫色に着色されている。
【００３８】
また、グループ操作部Ｂ２において、フェーダ操作子４−１〜４−４、フェーダ操作子４−５〜４−８はそれぞれ４つの操作子からなる２つのサブグループＢ２−１，Ｂ２−２を構成している。そして、サブグループＢ２−１のフェーダ操作子４−１〜４−４は橙色に着色され、サブグループＢ２−２のフェーダ操作子４−５〜４−８は水色に着色されている。
【００３９】
以上のように、各グループ操作部の各サブグループ毎に色によりマーキングがなされているので、ボリューム操作子やフェーダ操作子の配置を各サブグループ単位で認識することができ、各操作子を見つけるのがきわめて容易になる。すなわち、ある操作子を認識するためにまずサブグループを認識して、その中から操作子を選択すればよい。このとこは、サブグループを認識してその中から操作子を選ぶという２段階のステップを踏むので一見手間が掛かるように思われるが、実際に操作する際には、各サブグループもその中の操作子もほとんど無意識で区別することができる。
【００４０】
すなわち、マーキングがない場合に全操作子から１つの操作子を見つけだすとなると、全体の配置に対してその操作子の位置を確認する必要があり、操作に手間が掛かる。しかし、マーキングがなされてるので一瞥するだけでサブグループを区別でき、さらに、そのサブグループの中から（全操作子数よりもきわめて少数（この例では４個）の操作子の中から）選べばよいので、操作子を容易に確認できる。特に、サブグループ内の操作子は少数個（この例では４個）であるので、手探りで所望の操作子を確認することができる。すなわち、一瞥と手探りだけで操作子を見つけることができる。
【００４１】
また、例えばボリューム操作子群Ａ（図１）において、ＡＵＸステレオセンドレベル用のグループ操作部Ａ１と、ＧＲＯＵＰ／ＡＵＸセンドレベル用のグループ操作部Ａ２は、互いに異なる機能でありながら縦に一列に（同じ列に）配置されている。しかし、グループ操作部Ａ１とグループ操作部Ａ２の各先頭のサブグループＡ１−１，Ａ２−１は同一のマーキング（この例では橙色）となっているので、グループ操作部の先頭は例えば橙色である、というようにマーキングにより異なるグループ操作部の配置を容易に認識することができる。このことは、フェーダ操作子群Ｂ（図２）のグループ操作部Ｂ１とグループ操作部Ｂ２とについても同様である。さらに、実施形態では先頭のサブグループの色が橙色という明るい色となっているので、特に各グループ操作部を認識し易くなっている。
【００４２】
また、グループ操作部Ａ１，Ａ２，Ｂ１，Ｂ２において、１番目、２番目の各サブグループは同じマーキング（この例では１番目は橙色、２番目は水色）となっているので、順番を覚えやすく、ひいては操作性がよくなる。
【００４３】
また、ボリューム操作子群Ａのグループ操作部Ａ１とフェーダ操作子群Ｂのグループ操作部Ｂ１、ボリューム操作子群Ａのグループ操作部Ａ２とフェーダ操作子群Ｂのグループ操作部Ｂ２とが、それぞれ同一のマーキング（同一の配列）となっている。すなわち、ＡＵＸステレオセンドレベル（図１）とＡＵＸステレオ出力レベル（図２）との対応関係、グループＡＵＸセンドレベル（図１）とＧＲＯＵＰ／ＡＵＸ出力レベル（図２）との対応関係が、それぞれマーキングにより確認できるので、操作性がよくなる。なお、グループ操作部Ａ１が「第１グループ操作部」でグループ操作部Ｂ１が「第２グループ操作部」に対応する。同様に、グループ操作部Ａ２が「第１グループ操作部」でグループ操作部Ｂ２が「第２グループ操作部」に対応する。
【００４４】
各マーキングの色は上記実施形態のものに限らず、他の色でもよいことはいうまでもない。さらに、上記の実施形態では操作子の素材自体に着色を施しているが、マーキングとしてシール等を貼ることでサブグループ毎に色分けするようにしてもよい。
【００４５】
また、この種のミキシングコンソールはスタジオや劇場の後方など暗いところで使用されることが多いが、マーキングとして蛍光色を用いることで、暗いところでも認識し易くなる。また、パネル面の上方には小型の照明装置等を配置することも多いが、この照明装置により発色が良くなるような色を用いてもよい。例えば蛍光を発するような色（蛍光塗料等）でもよい。
【００４６】
マーキングとしては、色に限らず形状、発光、操作子の一部を切り欠くなどでもよい。
【００４７】
ボリューム操作子群Ａにおける各サブグループの間の距離（ピッチ）は親指とそれ以外の指とで形成されるスパン以内とし、人間工学から割り出した距離とする。また、これに伴ってサブグループ内の操作子の個数を設定する。つまり、実施形態では一つのサブグループは４つの操作子で構成されているが、４つに限らず２つ、３つ、５つ以上でもよい。ただし、操作子自体の大きさによってこれらの個数は決まる。すなわち、操作子が大きくなれば一つのサブグループ内の個数は少なくなる。一方、操作子が小さくなれば個数を多くすることができるが、この個数は上記のように設定されるサブグループ間の距離により上限がきまる。
【００４８】
なお、図４に示したように、ボリューム操作子１−９，１−１０　とボリューム操作子１−１１　，１−１２　とのあいだにスイッチＳ等（ＬＥＤでもよい）が配設されているが、このスイッチＳは、ボリューム操作子１−９，１−１０　とボリューム操作子１−１１　，１−１２　との間隔を決めるアクセントにもなっている。また、操作子と操作子との間隙は少なくとも太い親指が入る間隔である。
【００４９】
上記の実施形態はミキサー装置におけるミキシングコンソールの例であるが、ミキシング機能を備えたレコーダ等に適用してもよい。
【００５０】
【発明の効果】
本発明の請求項１のミキシングコンソールによれば、操作子の配置を各サブグループ単位で認識することができ、各操作子を見つけるのがきわめて容易になる。
【００５１】
本発明の請求項２のミキシングコンソールによれば、請求項１と同様な効果が得られるとともに、複数のグループ操作部において、先頭のサブグループのマーキングが同一になっているので、各グループ操作部を区別し易くそのグループ操作部に含まれる操作子の先頭を容易に確認できる。
【００５２】
本発明の請求項３のミキシングコンソールによれば、請求項１と同様な効果が得られるとともに、各グループ操作部の各サブグループは同じマーキングの順番となっているので、サブグループの順番を覚えやすく、ひいては操作性がよくなる。
【００５３】
本発明の請求項４のミキシングコンソールによれば、請求項１と同様な効果が得られるとともに、バスシステムを介して共通な電気信号に処理をする第１グループ操作部と第２グループ操作部との対応関係がマーキングにより確認できるので、操作性がよくなる。
【図面の簡単な説明】
【図１】本発明の実施形態のミキシングコンソールにおけるボリューム操作子群を示す平面図である。
【図２】本発明の実施形態のミキシングコンソールにおけるフェーダ操作子群を示す平面図である。
【図３】本発明の実施形態のミキシングコンソールにおけるパネル面の一部を示す図である。
【図４】本発明の実施形態のミキシングコンソールにおけるボリューム操作子の斜視図である。
【図５】本発明の実施形態のミキシングコンソールにおける一部回路図である。
【符号の説明】
Ａ…ボリューム操作子群、Ｂ…フェーダ操作子群、Ａ１，Ａ２，Ｂ１，Ｂ２…グループ操作部、Ａ１−１〜１−３，Ａ２−１，Ａ２−２，Ｂ１−１〜１−３，Ｂ２−１，Ｂ２−２…サブグループ、１−１〜１−１２　，２−１〜２−８…ボリューム操作子、３−１〜３−１２　，４−１〜４−８…フェーダ操作子、１０…モノラル入力チャンネル、５…ＡＵＸステレオセンドレベル制御回路、７…ＧＲＯＵＰ／ＡＵＸセンドレベル制御回路、２０…バスシステム、３０…ＡＵＸステレオ出力レベル制御回路入力部、５０…ＡＵＸ出力レベル制御回路
【図１】
2004127807.tif 000003
【図２】
2004127807.tif 000004
【図３】
2004127807.tif 000005
【図４】
2004127807.tif 000006
【図５】
2004127807.tif 000007